(57)【要約】【課題】  従来の冷蔵庫は、建物の中に設置するものである、大型では冷蔵庫を格納のために建物の広い場所を占有し調理作業の妨げになる、地震・火災等の災害時には、建物とともに災害に遭い損失の拡大になる、又大型にあっては、移設及び撤去時には、パネルを解体するために、日数と費用も掛かる。日常保存物を出し入れ時に大きな扉を開閉する度に大量の冷気が漏れ外気が庫内に流入する。従来冷蔵庫の機能は、温度を管理するのみで、湿度制御が出来ないために湿度管理の必要な物の保存には不向きである【解決手段】  発明の屋外設置専用冷蔵庫は、移動可能なる屋外据え置き型で、建物と分離して設置し、冷蔵庫の外装１３を不燃材で構成し一体化にする。また外装材の外装骨材１９を強固とする事により耐震性に優れる、冷蔵庫内部入り口部に冷気漏れ防止カーテン２５を取付、特製加湿器装備の冷却器２０（低温用）の開発による低温時の湿度管理をする。【選択図】図３
2005188856.tif 000002
【特許請求の範囲】
【請求項１】
温度を任意に設定出来る冷蔵庫において、屋外設置専用として、風、雨、直射日光等の環境変化に対応する屋外設置専用冷蔵庫。
【請求項２】
前記屋外設置専用冷蔵庫において、冷蔵庫部と外装（外壁）部を一体にした屋外設置専用冷蔵庫。
【請求項３】
前記屋外設置専用冷蔵庫において、冷蔵庫部を軽量パネルで製作し、外装（外壁）部を一般建築部材で構成された、屋外設置専用冷蔵庫
【請求項４】
前記屋外設置専用冷蔵庫において、外装（外壁）部を一般建築部材で耐火等級４級ないし３級を使用した屋外設置専用冷蔵庫
【請求項５】
前記屋外設置専用冷蔵庫において、湿度設定し調整出来る屋外設置専用冷蔵庫
【請求項６】
前記屋外設置専用冷蔵庫において、冷蔵庫内に冷凍庫を内蔵出来る屋外設置専用冷蔵庫
【請求項７】
前記屋外設置専用冷蔵庫において、耐震構造の屋外設置専用冷蔵庫
【請求項８】
前記屋外設置専用冷蔵庫において、１００Vコンセントを差し込めば即使用可能になる屋外設置専用冷蔵庫
【請求項９】
前記屋外設置専用冷蔵庫において、入り口部に出入り時の冷気漏れ防止カーテンを装備した屋外設置専用冷蔵庫
【請求項１０】
前記屋外設置専用冷蔵庫において、冷蔵パネル部と外装（外壁）部に隙間を空け空気層が保たれ断熱効果に優れた屋外設置専用冷蔵庫
【請求項１１】
前記屋外設置専用冷蔵庫において、温度設定で冷凍庫にも使用出来る屋外設置専用冷蔵庫
【請求項１２】
前記屋外設置専用冷蔵庫において、吊り下げ金具を装備し、移動・設置を簡単かつ安価に出来る屋外設置専用冷蔵庫。
【発明の詳細な説明】
【技術分野】
【０００１】
本発明は、食品及び生鮮物等の保存に温度及び湿度管理を必要とする貯蔵庫である。独立して移動することや設置を簡素化できる屋外設置専用冷蔵庫。
【背景技術】
【０００２】
冷蔵庫は建物に収納し設置するもので、簡単に移動及び撤去出来ない、地震、火災等の災害時には、建物と同様に災害に遭う、又温度を管理（冷却）だけの機能で湿度を管理（制御）出来ないために、湿度に敏感な物には不向きである、そのような事を屋外設置専用の冷蔵庫で湿度管理（制御）を付加する事である
【０００３】
【特許文献１】特許公開平８−２３３４５０号公報
【特許文献２】特許公開平１０−１８５４１８号公報
【発明の開示】
【発明が解決しようとする課題】
【０００４】
従来の冷蔵庫は、大型なものは建物の中に設置するか、搬送目的にしたものである、大型では冷蔵庫を格納のために建物の広い場所を占有し、新しく設置する場合には、建物の建築費及びそれに掛かる固定資産税などの費用の出費も必要、又小型で有っても厨房で場所を取り調理作業の妨げである、地震・火災等の災害時には、建物とともに災害に遭い損失の拡大になる。又大型にあっては、移設及び撤去時には、パネルを解体するために、保存物を全部搬出の必要があり、時間と費用も掛かる。日常保存物を出し入れ時に大きな扉を開閉する度に大量の冷気が漏れ外気が庫内に流入する。冷蔵庫の機能は、温度を管理するのみで、湿度制御が出来ないために湿度管理の必要な物の保存には不向きである
【課題を解決するための手段】
【０００５】
発明の屋外設置専用冷蔵庫は、図１移動可能なる屋外据え置き型で、建物と分離して設置し、冷蔵庫の外装（外壁）１３を不燃材で構成とを一体化にする。また外装材（外壁）の骨材１９を冷蔵庫パネルに直接接続するために強固となり耐震性に優れる。冷蔵庫内部入り口部にカーテン２５を、低温時の湿度管理が可能な特製加湿器装備の冷却器２０の開発する。
【発明の効果】
【０００６】
発明の屋外設置専用冷蔵庫は、冷蔵パネル２３と外装（外壁）１３との間に流通する空気層１７を保たせる事により軽量かつ保冷効果が得られる。設置工事が不要でブロック９を敷く程度で簡単になる、又撤去・移動時も解体することなく、吊り下げ用金具１２を取り付ける事で図２吊り下げ又持ち上げが簡単に出来る。建物と分離する事で占有床面が無くなり建物を広く有効に使用出来、冷蔵庫外装材（外壁）１３を不燃構造にする事で火災・地震などの災害から免れる。冷蔵庫内部入り口部に冷気漏れ防止カーテン２５を取付る事で扉１０の開閉時に外気を分断し庫内の温度・湿度の急激な変化が解消される。加湿器２０で低温加湿を可能にして、生鮮物で湿度を必要とする物の収納（貯蔵）も解決される。
【発明を実施するための最良の形態】
【０００７】
発明の屋外設置専用冷蔵庫は、図１で示す冷蔵庫を堅牢な骨組みで囲い不燃材使用の外装材（外壁）１３を冷蔵壁（側面）パネル２３に密着させず図６に示す空間１７を取り空気層を設けて張り付け、雨・風・直射日光・外気の侵入を防ぎ、地震・火災にも耐えうる。屋根５に吊り下げ用金具１２を装備し、設置移動を容易にする。又、１００Vコンセントを差し込むだけで（三相２００V引き込み対応）使用出来て電気工事も不要である。冷蔵庫又は冷凍庫にも使用でき、冷蔵庫時には湿度管理が出来る、庫内に冷凍庫（冷凍棚）２９を設けることも可能。扉の開閉時に冷気漏れを少なくするため縦（短い面）に扉（出入り口）を設け、扉すぐに冷気漏れ防止カーテン２５取り付ける。工場で全ての部品・機器を組立製作することで完成品として出荷できる屋外設置専用冷蔵庫。
【実施例】
【０００８】
本発明の一実施事例を図３で解説、冷蔵庫天井パネル１４・冷蔵庫壁（側面）パネル２３・冷蔵庫床パネル２４にて構成された冷蔵庫パネル内に冷蔵庫内冷却器２０（加湿装置付）を取付、冷凍棚２９を囲い冷凍用冷却器２２を装着した冷凍庫２１、扉付近に冷気漏れ防止カーテン２５、床には木製の冷蔵床スノコ１８を装備する。面積約６.６平米で高さ２メータの冷蔵庫に、鉄骨他の骨材１９をボルトなどで接続して，外装材（外壁）１３は耐火等級４級ないし３級を使用した一般建築部材で外見は見栄え良い物を工場で製作する。屋根５に吊り下げ用金具１２を装着していて、図２のように設置・撤去・移動を容易にし、図１のブロック９などの上に置き、家庭用電気１００Vコンセントに接続すれば即に使用可能となる。
【図面の簡単な説明】
【０００９】
【図１】本発明の外観図。
【図２】本発明の移動例図。
【図３】本発明の冷蔵庫平面図。
【図４】本発明の冷蔵庫正面図
【図５】本発明の冷蔵庫側面図
【図６】本発明の空気層図
【符号の説明】
【００１０】
１  外観屋根面
２  外観裏面
３  外観側面
４  外観正面
５  屋根
６  排気ギャラリ
７  冷凍機
８  シャーシ
９  ブロック
１０  冷蔵庫扉
１１  冷蔵庫扉開閉金具
１２  吊り下げ用金具
１３  外装材（外壁）
１４  冷蔵庫天井パネル
１５  屋根下地（合板）
１６  外装骨材（補強鉄骨）
１７  パネルと外装間の空気用空間
１８  冷蔵庫床スノコ
１９  外装骨材
２０  冷蔵庫内冷却器及び加湿装置
２１  冷凍庫
２２  冷凍用冷却器
２３  冷蔵庫壁（側面）パネル
２４  冷蔵庫床パネル
２５  冷気漏れ防止カーテン
２６  車両備え付け吊り下げ機
２７  吊り下げロープ（ワイヤー）
２８  発明の屋外設置専用冷蔵庫
２９  冷凍用棚
３０  
【図１】
2005188856.tif 000003
【図２】
2005188856.tif 000004
【図３】
2005188856.tif 000005
【図４】
2005188856.tif 000006
【図５】
2005188856.tif 000007
【図６】
2005188856.tif 000008